(57)【特許請求の範囲】
【請求項１】
室外に立設される外構壁体であって、該外構壁体は、上下に貫通する貫通孔を有するブロックが、前記貫通孔を整合させて多段に積まれかつ幅方向に列設されて構成され、最上段のブロック列上には、前記貫通孔と整合する孔を有する長尺材が載置され、該長尺材の孔と前記ブロックの貫通孔を通して棒材が床面に固定されている外構壁体の施工構造において、前記長尺材に、前記ブロックに散水するための水路を設け、該長尺材の底には散水孔が上下に貫通形成されていることを特徴とする外構壁体の施工構造。
【請求項２】
室外に立設される外構壁体であって、該外構壁体は、上下に貫通する貫通孔を有するブロックが、前記貫通孔を整合させて多段に積まれかつ幅方向に列設されて構成され、最上段のブロック列上には、前記貫通孔と整合する孔を有する長尺材が載置され、該長尺材の孔と前記ブロックの貫通孔を通して棒材が床面に固定されている外構壁体の施工構造において、前記長尺材に、前記ブロックに散水するための水路を設け、該長尺材と前記ブロックの間に、スポンジ等の蓄水材を介在させたことを特徴とする外構壁体の施工構造。
【発明の詳細な説明】
【０００１】
【産業上の利用分野】
この発明は、外構壁体の施工構造に関するものである。
【０００２】
【従来の技術及びその課題】
従来、ブロック塀は、モルタルを用いて複数のブロックを積み上げて施工しており、モルタルの養生に日数を要し、また、湿式のため施工に多大な手間が掛かるという問題点があった。
【０００３】
【課題を解決するための手段】
本発明は上記従来の問題点に鑑み案出したものであって、施工を容易かつ短時間で行え、かつ空気を良好に冷却できる外構壁体の施工構造を提供せんことを目的とし、その第１の要旨は、室外に立設される外構壁体であって、該外構壁体は、上下に貫通する貫通孔を有するブロックが、前記貫通孔を整合させて多段に積まれかつ幅方向に列設されて構成され、最上段のブロック列上には、前記貫通孔と整合する孔を有する長尺材が載置され、該長尺材の孔と前記ブロックの貫通孔を通して棒材が床面に固定されている外構壁体の施工構造において、前記長尺材に、前記ブロックに散水するための水路を設け、該長尺材の底には散水孔が上下に貫通形成されていることである。
また、第２の要旨は、室外に立設される外構壁体であって、該外構壁体は、上下に貫通する貫通孔を有するブロックが、前記貫通孔を整合させて多段に積まれかつ幅方向に列設されて構成され、最上段のブロック列上には、前記貫通孔と整合する孔を有する長尺材が載置され、該長尺材の孔と前記ブロックの貫通孔を通して棒材が床面に固定されている外構壁体の施工構造において、前記長尺材に、前記ブロックに散水するための水路を設け、該長尺材と前記ブロックの間に、スポンジ等の蓄水材を介在させたことである。
【０００４】
【実施例】
以下、本発明の実施例を図面に基づいて説明する。
図１は、室内とベランダの要部斜視図であり、室内１の床面２には水熱固化建材３が貼設されており、この水熱固化建材３は、湿度が高い時には湿気を吸収し、湿度が低い時には吸収した湿気を放出する吸放湿性能を有したものである。
また、室内１の壁面４には調湿建材５が貼設されており、この調湿建材５は多孔セラミックタイルで構成されており、吸放湿性能を有して、湿度が高い時には湿気を吸収し、湿度が低い時には湿気を放出するように構成されたものである。また、室内１の外側のベランダ床面７側には開閉可能に窓部６が設けられており、ベランダ床面７の窓部６と対向する端部には、窓部６と平行状に外構壁体９が立設されている。
【０００５】
ベランダ床面７は図２の断面拡大図で示すように、床材７ａが敷設されて、その下方は床下空間８となっており、この床下空間８内には浄化槽１０が配設されており、この浄化槽１０には排水管１１が接続され、排水管１１を通し生活排水が浄化槽１０内に流入されるように構成されている。
また、浄化槽１０には接続管１２が接続されて、接続管１２の他端側にはコントローラ１３が接続され、コントローラ１３はベランダの床材７ａ上に配置されたものとなっている。このコントローラ１３内には、浄化槽１０内で浄化処理されて生成された中水を接続管１２を通し汲み上げることのできるポンプが内蔵されており、また、コントローラ１３には、中水を吐出できる複数の吐出口１３ａ，１３ａが設けられており、この吐出口１３ａは、自動吐出用と、手動吐出用があり、何れかの吐出口１３ａにホース等を接続させて、ベランダ床面７に散水できるように構成されている。
【０００６】
また、床材７ａ間にプランター１４を配置して、このプランター１４に、コントローラ１３の吐出口１３ａから自動的に散水できるように構成しておくこともできる。
本例では、浄化槽１０は床下空間８内を有効利用して設けられており、従来のように地中に埋める必要がなく、設置が容易であり、また、コントローラ１３はベランダ床面７上に配置されているため、操作がしやすいものとなっている。
【０００７】
前記外構壁体９は図４の分解斜視図で、また図３の縦断面図で示すような構造となっており、複数のブロック１７，１７，１７を多段に積み上げ、かつ幅方向に列設して、ベランダ床面７の端部に幅方向に形成されたものであり、ベランダ床面７の端部の床材には、予めアンカーボルト１５，１５が一対ずつ幅方向に間隔をおいて立設固定されており、前記各ブロック１７には、このボルト１５，１５を通すことのできる上下に貫通した貫通孔１７ａ，１７ａが形成されており、ボルト１５に沿って貫通孔１７ａ，１７ａを整合させて多段にブロック１７が積み上げられてゆくものである。また、各ブロック１７には水平方向に貫通して表側から裏側へ抜ける風孔１７ｂ，１７ｂが複数形成されている。
【０００８】
複数のブロック１７の貫通孔１７ａをそれぞれボルト１５に通しながら積み上げてゆき、最上段のブロック１７上には、水平状態に溝型長尺材１９が下面にスポンジ１８，１８を介在させた状態で載置されるものである。この溝型長尺材１９は、底片１９ｃの両端に立上片１９ｄ，１９ｄを有する上面が開放された断面溝型に形成されており、底片１９ｃには、前記ボルト１５，１５を通すボルト孔１９ａ，１９ａが所定間隔で形成されており、また、各ボルト孔１９ａの両側等には散水孔１９ｂ，１９ｂがそれぞれ上下に貫通形成されている。
各ボルト１５の上端にナット２０を締め付けて各ブロック１７，１７，１７と溝型長尺材１９を強固に一体固定させることができるものであり、従来のようにブロック間にモルタルを介在させて積み上げるものではないため、モルタルの養生日数を要することなく、短時間で外構壁体９を構築できるものである。
【０００９】
なお、外構壁体９の両側面には、床面から中空状の側柱１６，１６が立設されており、この側柱１６内にホース２１を通し、ホース２１を図３に示すように、溝型長尺材１９の底片１９ｃ上に水平に沿わせて配設し、上片２２ａの両端に垂下片２２ｂ，２２ｂを有する下面が開放された断面門型の門型長尺材２２を溝型長尺材１９に被せて、このホース２１を良好に隠すことができるものである。なお、ホース２１内は散水水路Ｒを形成しており、ホース２１には多数の散水孔２１ａ，２１ａ，２１ａが形成されたものとなっている。
なお、ホース２１の他端を前述したコントローラ１３の吐出口１３ａに接続して、自動または手動で、このホース２１の散水水路Ｒ内に浄化槽１０で浄化処理された中水を流して、ホース２１の散水孔２１ａから外へ中水を流すと、中水は散水孔１９ｂ，１９ｂを通りスポンジ１８に滲み込み、中水が飛び散ることなく、徐々に下方のブロック１７，１７に中水が滲み込まれるものである。即ち、ブロック１７，１７間の隙間を通り下方側へ中水が流下して、下へ下へと流れ、やがては全てのブロック１７，１７全体に水が滲み渡るものとなる。
【００１０】
この状態では、ブロック１７，１７に滲み込まれた中水が、気化熱の原理により打ち水のように回りの空気を冷却して、ベランダを涼しくすることができるものとなる。また、風孔１７ｂ内に風が通ると、風が冷却され、窓部６を開けておけば、夏等に涼しい風を室内１に入れることができるものとなり、室内を涼しくすることができる。なお、涼しいけれども湿度が高い風であり、従来では部屋内が湿っぽくなってくるが、本例では、室内１の壁面４には調湿建材５が貼設されており、さらに床面２には水熱固化建材３が貼設されているため、湿気が良好にこの建材５，３に吸収され、快適な室内環境が得られるものとなる。なお、湿度が低い時には建材３，５から湿気が放出されて、冬暖かく、夏涼しい快適な住環境が実現される。
【００１１】
【発明の効果】
本発明では、外構壁体は、上下に貫通する貫通孔を有するブロックが、前記貫通孔を整合させて多段に積まれかつ幅方向に列設されて構成され、最上段のブロック列上には、前記貫通孔と整合する孔を有する長尺材が載置され、該長尺材の孔と前記ブロックの貫通孔を通して棒材が床面に固定されている外構壁体の施工構造において、前記長尺材に、前記ブロックに散水するための水路を設け、該長尺材の底には散水孔が上下に貫通形成されていることにより、モルタルを用いることなく乾式で容易かつ短時間に施工することができ、長尺材の散水孔から散水させてブロック列の上方から水を重力で下方へ流し、下方側のブロックに水を滲み込ませてゆくことができ、夏には気化熱の原理により空気を冷却して涼しい環境を得ることができるものとなる。
【００１２】
また、室外に立設される外構壁体であって、該外構壁体は、上下に貫通する貫通孔を有するブロックが、前記貫通孔を整合させて多段に積まれかつ幅方向に列設されて構成され、最上段のブロック列上には、前記貫通孔と整合する孔を有する長尺材が載置され、該長尺材の孔と前記ブロックの貫通孔を通して棒材が床面に固定されている外構壁体の施工構造において、前記長尺材に、前記ブロックに散水するための水路を設け、該長尺材と前記ブロックの間に、スポンジ等の蓄水材を介在させたことにより、水が飛び散ることなくスポンジ等の蓄水材に滲み込み、徐々にブロックに水を滲み込ませてゆくことができるものとなる。
【図面の簡単な説明】
【図１】  室内とベランダの要部斜視構成図である。
【図２】  ベランダの断面拡大構成図である。
【図３】  ベランダの端部に立設された外構壁体の断面構成図である。
【図４】  外構壁体の施工状態の分解図である。
【符号の説明】
１  室内
２  床面
３  水熱固化建材
４  壁面
５  調湿建材
６  窓部
７  ベランダ床面
７ａ  床材
８  床下空間
９  外構壁体
１０  浄化槽
１１  排水管
１２  接続管
１３  コントローラ
１３ａ  吐出口
１４  プランター
１５  ボルト
１６  側柱
１７  ブロック
１７ａ  貫通孔
１７ｂ  風孔
１８  スポンジ
１９  溝型長尺材
１９ａ  ボルト孔
１９ｂ  散水孔
２０  ナット
２１  ホース
２１ａ  散水孔
２２  門型長尺材
Ｒ  散水水路
【図１】
0003799541.tif 000002
【図２】
0003799541.tif 000003
【図３】
0003799541.tif 000004
【図４】
0003799541.tif 000005